(57)【要約】【課題】本発明は、車椅子用開閉扉に関し、電気設備などを必要とせずに自動的に扉を開閉できるようにすることが課題である。【解決手段】車椅子の乗ったまま回転式扉を開閉させる開閉扉であって、前記車椅子３が走行する廊下４に、当該車椅子の重量によって押し込まれて作用する油圧装置５のスイッチ部６が設けられ、前記廊下に設けられている開閉扉１を回転させる回転軸１ａには、前記スイッチ部６と連結された油圧装置５の回転部７が設けられている車椅子用開閉扉１とする。【選択図】図１
2005264496.tif 000002
【特許請求の範囲】
【請求項１】
車椅子の乗ったまま回転式扉を開閉させる開閉扉であって、
前記車椅子が走行する廊下に、当該車椅子の重量によって押し込まれて作用する油圧装置のスイッチ部が設けられ、
前記廊下に設けられている開閉扉を回転させる回転軸には、前記スイッチ部と連結された油圧装置の回転部が設けられていること、
を特徴とする車椅子用開閉扉。
【請求項２】
回転軸と油圧装置の回転部との連結部分には、前記回転軸を開方向に回転させると共に当該回転軸及び開閉扉を上方向にスライドさせる螺旋状のテーパ部が設けられ、
前記回転部にスイッチ部からの油圧による加圧が解除されると、開状態の開閉扉の自重により前記テーパ部に沿って自動的に閉方向に回転して該開閉扉が元の位置に戻ること、
を特徴とする請求項１に記載の車椅子用開閉扉。
【請求項３】
開閉扉の前後における廊下に、油圧装置のスイッチ部が各々設けられ、それぞれが、車椅子の進行方向に対して開閉扉が順方向に回転して開くように、開閉扉の回転軸に一方向クラッチを有する回転部が前記両スイッチ部に連結されてそれぞれ設けられていること、
を特徴とする請求項１または２に記載の車椅子用開閉扉。
【発明の詳細な説明】
【技術分野】
【０００１】
本発明は、例えば、一般住宅において身障者用に車椅子を利用している場合に、その車椅子の移動を容易にするためバリアフリーにしているが、廊下において開閉扉がある場合に、車椅子に乗ったまま容易に開閉することのできる車椅子用開閉扉に関するものである。
【背景技術】
【０００２】
従来、一般住宅において、身障者が居る場合に、車椅子の走行のためバリアフリーにすることがあるが、狭い廊下の途中に扉がある場合に、図５（Ａ）に示すように、それが片開扉でそのドアノブを操作して車椅子利用者が開閉するのは困難である。また、同図（Ｂ）に示すように、片開扉を手前に引かなければならない場合には、片手でドアノブを操作しながら他方の手で車椅子を後退操作しなければならず、非常に困難である。
このような事情から、車椅子を利用する身障者のため、片開き扉に関して、スイッチ操作にして開閉できるようにしたもの（特許文献１参照）、若しくは、両開き扉にして、天井にＴ字型の扉用レールを配設することで扉を容易に開閉できるようにしたもの（特許文献２参照）が知られている。
【特許文献１】特開２００２−２３５４７９号公報
【特許文献２】特開２００２−２１４１９号公報
【０００３】
しかし、従来の扉開閉装置では、扉の開閉に電気スイッチや電動モータ等の電気装置が必要となり、設備的に高価で複雑な構成になる、また、両開きにしても身障者が自分で開閉操作をしなければならず不自由である。扉を開閉式にせずに、引き戸式にする場合では、一般住宅においては戸袋として余分な床面積が必要となるので、コストが嵩むことになる。
【発明の開示】
【発明が解決しようとする課題】
【０００４】
このように、扉の開閉が容易でコストが高くならず、身障者の手を煩わせないようにした、身障者用車椅子の走行に適した開閉扉が提供されていないことが課題である。
【課題を解決するための手段】
【０００５】
本発明に係る車椅子用開閉扉の要旨は、車椅子の乗ったまま回転式扉を開閉させる開閉扉であって、前記車椅子が走行する廊下に、当該車椅子の重量によって押し込まれて作用する油圧装置のスイッチ部が設けられ、前記廊下に設けられている開閉扉を回転させる回転軸には、前記スイッチ部と連結された油圧装置の回転部が設けられていることである。
【０００６】
前記回転軸と油圧装置の回転部との連結部分には、前記回転軸を開方向に回転させると共に当該回転軸及び開閉扉を上方向にスライドさせる螺旋状のテーパ部が設けられ、前記回転部にスイッチ部からの油圧による加圧が解除されると、開状態の開閉扉の自重により前記テーパ部に沿って自動的に閉方向に回転して該開閉扉が元の位置に戻ること、；
また、前記開閉扉の前後における廊下に、油圧装置のスイッチ部が各々設けられ、それぞれが、車椅子の進行方向に対して開閉扉が順方向に回転して開くように、開閉扉の回転軸に一方向クラッチを有する回転部が前記両スイッチ部に連結されてそれぞれ設けられていること、；
を含むものである。
【発明の効果】
【０００７】
本発明の車椅子用開閉扉によれば、車椅子が走行する廊下に、当該車椅子の重量によって押し込まれて作用する油圧装置のスイッチ部が設けられ、前記廊下に設けられている開閉扉を回転させる回転軸には、前記スイッチ部と連結された油圧装置の回転部が設けられているので、車椅子に乗った身障者は、直接扉を開ける作業が不要となり、自動的に扉を開けることができる。しかも、開閉の動力としては油圧装置を使用し、車椅子の重量を利用するので、電気を消費することなく、電子機器の設備も不要であって、低コストで構成することができる。
また、回転軸と油圧装置の回転部との連結部分には、前記回転軸を開方向に回転させると共に当該回転軸及び開閉扉を上方向にスライドさせる螺旋状のテーパ部が設けられ、
前記回転部にスイッチ部からの油圧による加圧が解除されると、開状態の開閉扉の自重により前記テーパ部に沿って自動的に閉方向に回転して該開閉扉が元の位置に戻るようにすることで、車椅子が通過すると、身障者は扉を閉める作業が不要となり、手間が掛からない。
更に、開閉扉の前後における廊下に、油圧装置のスイッチ部が各々設けられ、それぞれが、車椅子の進行方向に対して開閉扉が順方向に回転して開くように、開閉扉の回転軸に一方向クラッチを有する回転部が前記両スイッチ部に連結されてそれぞれ設けられているので、車椅子の進行方向に対して邪魔しないように回転されることになり、車椅子を後戻りさせたりする不都合が無くなり、スムーズに通過することができる。
【発明を実施するための最良の形態】
【０００８】
本発明の第１実施例に係る車椅子用開閉扉１は、図１に示すように、身障者２が乗った車椅子３が走行する廊下４に、当該車椅子３の重量によって押し込まれて作用する油圧装置５のスイッチ部６が設けられ、前記廊下４に設けられている開閉扉１を回転させる回転軸１ａには、前記スイッチ部６と連結された油圧装置５の回転部７が設けられて、概略構成されている。
【０００９】
この実施例では、前記開閉扉１は、一方向（時計方向）にのみ開く開閉扉である。よって、前記スイッチ部６ａは、開閉扉１が開かない側にあるので当該扉１の近傍にまで寄せて配置され、逆にスイッチ６ｂは、開閉扉１の開動作の邪魔にならないように、少しは離して配置されている。
前記油圧装置５の構成は、図２に示すように、各スイッチ部６ａ，６ｂの下に、油圧シリンダー８が設けられ、前記回転部７と油圧パイプ９で連結されている。
【００１０】
前記扉１の回転軸１ａと油圧装置５の回転部７との連結部分には、図３に示すように、前記回転軸１ａを開方向に回転させると共に当該回転軸１ａ及び開閉扉１を上方向にスライドさせる螺旋状のテーパ部７ａが設けられている。
前記回転軸１ａは、下部に垂設された嵌合板１ｃにより、回転部７に対して上下方向にスライド可能になり、且つ、回転できるように嵌合されている。
【００１１】
前記回転軸１ａには、開閉扉１に回転力を伝達し、且つ、上にスライドさせる上昇力を伝達する連結板１ｂが周壁面に固定されている。
【００１２】
前記回転部７の油圧シリンダー７ｂ内部には、回転可能な仕切り板７ｃが設けられている。前記スイッチ部側の油圧シリンダー８から油圧パイプ９でオイルが加圧されて供給されると、仕切り板７ｃが所定の方向に回転するものである。この場合には、９０°回転するようになっている。
【００１３】
前記連結板１ｂは、前記仕切り板７ｃの回転によりこれに連結されている嵌合板１ｃが同時に回転するので、同方向に回転する。そして、この連結板１ｂの下端部が、螺旋状のテーパ部７ａに沿って移動するので、次第に回転軸１ａ及び扉１が上にスライドする。
【００１４】
前記扉１及び回転軸１ａが略９０°回転すると、その後、回転部７の油圧シリンダー７ｂの加圧が解除されるので、テーパ上にある連結板１ｂが、扉１の自重で下に滑り落ちるようになり、扉１は元の位置に戻る。また、スイッチ部６ａ又はスイッチ部６ｂにおいては、押し下げられたロッドが上に復帰する。
【００１５】
このような油圧装置５により、身障者２が乗った車椅子がスイッチ部６を通過する度に、開閉扉１が所定の方向に回転し、身障者２は特別に開閉操作しなくても、開閉扉１を開けて通過することが自動的にできるものである。
【００１６】
本発明の第２実施例に係る車椅子用開閉扉１０は、図４に示すように、ラッチを有する両開きの開閉扉１０であって、その前後における廊下４に、油圧装置のスイッチ部６ａ，６ｂが各々設けられる。そして、車椅子３の進行方向に対して前記開閉扉１０が順方向に回転して開くように、開閉扉１０の回転軸１ｄに一方向クラッチを有する回転部１１ａ，１１ｂが、それぞれ回転方向を逆にして設けられている。
【００１７】
また、開閉扉１０を自然に元の位置に復帰させるには、回転しないように床４に固定される戻し基部７ｆに、テーパ部７ｅ，７ｆが両側に設けらている。よって、開閉扉１０の自重により連結板１ｂが前記テーパ部７ｅにより反時計方向に回転されて復帰し、又は、テーパ部７ｆにより時計方向に回転されて、当該開閉扉１０が元の位置に復帰する。
このように油圧装置５ａを構成することで、開閉扉１０が常に車椅子３の進行方向に沿った順方向に開くことになり、通行がより便宜となるものである。
【図面の簡単な説明】
【００１８】
【図１】本発明の第１実施例に係る車椅子用開閉扉１の使用状態を説明する説明図である。
【図２】同第１実施例における油圧装置５の構成を概略的に示す構成図である。
【図３】同第実施例における回転軸１ａと回転部７との構成を示す構成図である。
【図４】同本発明の第２実施例を示す回転軸１ａと、回転部１１ａ，１１ｂとの構成による油圧装置５ａの構成図である。
【図５】従来例に係る説明図（Ａ），（Ｂ）である。
【符号の説明】
【００１９】
１，１０    開閉扉、              １ａ，１ｄ            回転軸、
１ｂ        連結板、              １ｃ                  嵌合板、  
２          身障者、
３          車椅子、
４          廊下、
５，５ａ    油圧装置、
６，６ａ，６ｂ          スイッチ部、
７          回転部、              ７ａ，７ｅ，７ｆ      テーパ部、
７ｂ        油圧シリンダー、      ７ｃ                  仕切り板、
８          油圧シリンダー、
９          油圧パイプ、
１１ａ，１１ｂ        回転部。
【図１】
2005264496.tif 000003
【図２】
2005264496.tif 000004
【図３】
2005264496.tif 000005
【図４】
2005264496.tif 000006
【図５】
2005264496.tif 000007